(57)【要約】      魚用の疑似餌若しくは食品若しくは医薬物質を送達及び分配するか、又は、水域環境において物質を溶解させる「Ｋａｒｐｅｌａ  ｃｏｎｔ」容器が、互いに分割接続によって接続されて内部キャビティを形成する少なくとも２つのパーツ（１）からなる、耐水性の主に高分子材料から作られるケーシングを含む。各パーツは、少なくとも２つの穴又は穴（７）の群を有する。穴はケーシングの対向する表面に位置付けられ、その上、穴の総面積は、容器の表面の総面積の５％〜５０％を構成する。「Ｋａｒｐｅｌａ  ｃｏｎｔ」容器の構造特徴及び他の特徴を使用して、魚用の疑似餌若しくは食品若しくは医薬物質、又は、水域環境において溶解される物質の送達及び分配が確実になり、同時に、上記容器の内容物の水域環境への持続的な放出を保証し、容器の使用の万能性及び容易さが向上し、また、前述した特徴を有する容器の製造可能性が高まる。    【選択図】図３
2016505261.tif 000002
【特許請求の範囲】
【請求項１】
魚用の疑似餌若しくは食品若しくは医薬物質を送達及び分配するか、又は、水域環境において物質を溶解させる「Ｋａｒｐｅｌａ  ｃｏｎｔ」容器であって、互いに分割接続によって接続されて内部キャビティを形成する少なくとも２つのパーツからなる、耐水性の主に高分子材料から作られるケーシングを含み、各パーツは、少なくとも２つの穴又は穴の群を有し、
前記穴は前記ケーシングの対向する表面に位置付けられ、穴の総面積は、前記容器の表面の総面積の５％〜５０％を構成することを特徴とする、「Ｋａｒｐｅｌａ  ｃｏｎｔ」容器。
【請求項２】
前記穴の総面積は前記容器の表面の総面積の８％〜２０％を構成することを特徴とする、請求項１に記載の「Ｋａｒｐｅｌａ  ｃｏｎｔ」容器。
【請求項３】
前記ケーシングの材料は、水の密度との差が１０％を超えない密度を有することを特徴とする、請求項１に記載の「Ｋａｒｐｅｌａ  ｃｏｎｔ」容器。
【請求項４】
前記ケーシングの表面の前記パーツは球状にされることを特徴とする、請求項１に記載の「Ｋａｒｐｅｌａ  ｃｏｎｔ」容器。
【請求項５】
前記ケーシングの前記パーツは、ねじ接続によって互いに接続されることを特徴とする、請求項１に記載の「Ｋａｒｐｅｌａ  ｃｏｎｔ」容器。
【請求項６】
前記穴又は穴の群は異なる形状にされることを特徴とする、請求項１に記載の「Ｋａｒｐｅｌａ  ｃｏｎｔ」容器。
【請求項７】
前記容器は道具への締結機構を有し、これは、前記ケーシングのパーツの表面に位置付けられる少なくとも２つの同軸の穴を表すことを特徴とする、請求項１に記載の「Ｋａｒｐｅｌａ  ｃｏｎｔ」容器。
【請求項８】
前記ケーシングのパーツは異なる色にされることを特徴とする、請求項１に記載の「Ｋａｒｐｅｌａ  ｃｏｎｔ」容器。
【発明の詳細な説明】
【技術分野】
【０００１】
本発明は、魚釣りの分野において、釣竿、スピニングロッド又は他の釣り道具によって魚釣りする際に、水域環境において疑似餌又は食品を送達及び分配するために使用することができる。また、本発明は、魚の養殖の分野において、特に水族館のケアのために水族館の個体群に医薬物質を送達及び分配することに使用することができる。同様に、本発明は、公衆衛生及び衛生設備の分野において、水域環境、例えば浴槽において溶解される物質を送達及び分配するために使用することができる。
【背景技術】
【０００２】
本出願人は、魚用の疑似餌若しくは食品若しくは医薬物質を送達及び分配するか、又は、水域環境において物質を溶解させる多くの容器について知っており、その中でも、全体的に主要な特徴に基づいて、最も類似するものは以下の通りである。
【０００３】
ばねケーシングからなり、ばねの内部にその長手方向軸に沿って位置付けられるロッドに固定される、魚の給餌器として使用される容器が既知である。ばねケーシングはバレル状の又は円錐の形状を有する。少なくとも、筒状であるか又は中実のロッドの一端に、ロッドに締結されるリングの形状の、付加的な取り付け用フィッティングが取り付けられる（２００８年７月２５日に公開された（特許文献１）、公報番号１４、２００８、Ａ０１Ｋ９７／００）。
【０００４】
この既知の容器の欠点は、容器を様々なタイプの容器の内容物に使用する場合に制約を生じる、ばねの形態のケーシングの設計である。
【０００５】
また、流れにおける魚釣り用の給餌器として使用される容器が（特許文献２）（２０１２年１１月２７日に公開、公報番号３３、Ａ０１Ｋ９７／００）から既知である。この容器は、外面に穴及び領域を有する、中空の切欠きコーンの形状で高分子材料から作られるケーシング、及び、ケーシング内のコーンの上部に位置付けられる付加的な金属荷重を有する。荷重の質量は、容器が使用される水域環境の条件に応じて変えることができる。道具への締結は、ケーシングの下側セクションに固定されるスイベルを有するリングによってなされる。
【０００６】
この既知の容器の欠点は、容器の内容物の縦方向の放出を確実にする手段がないことであり、この結果、内容物を頻繁に変える必要性、及び、付加的な荷重を使用する必要性が生じ、したがって、ケーシングの設計及び容器の使用が複雑になる。また、その欠点は、容器を、給餌器としてだけではなく疑似餌又はベイトとしても使用することが可能ではないことであり、これは、容器の使用の万能性を低める。
【０００７】
また、疑似餌用の中空のケーシングを有する釣り用疑似餌として使用される容器が既知である。ケーシングの中空部分内には、両端から開口している耐水性のエンクロージャ及びスポンジのコアからなるロッドがある。疑似餌は、ロッドのスポンジのコア内に位置付けられる（２００４年７月１０日に公開された（特許文献３）、Ａ０１Ｋ８５／０１、Ａ０１Ｋ９７／０４）。
【０００８】
この容器の欠点は、スポンジのコアの端のみから疑似餌物質を放出させるその能力にある。また、そのような容器の設計は、疑似餌の使用準備を複雑にし、他の疑似餌のタイプ又は他のタイプの容器の内容物を使用することに対する制約を生じる。
【０００９】
また、球状の本体、及び、疑似餌を水域環境内に放出させる円形の穴が設けられているカバーを有する、（２０００年８月１５日に公開された（特許文献４）Ａ０１Ｋ９７／０４；Ａ０１Ｋ９７／０５）に記載の、魚釣り中に疑似餌を送達及び分配する容器が既知である。本体の底部には、一組のばね板からなるスカートがあり、一組のばね板は、本体の表面を包むとともに、容器が水面上にあるときに疑似餌が出ることを不可能にするように穴を閉じる可能性、及び、容器が水中にあるときにばね板を下げるとともに穴を通して疑似餌を放出する可能性を有する。また、容器は、その底部に、容器を水域環境内に送達するように釣り道具及び他の補助的な道具に締結する機構（facility）を有する。
【００１０】
そのような容器は、内容物を水域環境に出すことを不可能にする手段を有するが、これらの手段は、疑似餌を水に連続的に放出させることを確実にしない。また、容器は、疑似餌として使用される可能性を提供せず、したがって、その使用の万能性を低める。また、容器を水域環境に送達するための容器の道具締結機構の設計は、その使用範囲を更に制限する。
【００１１】
また、例えば魚用の疑似餌として特定の匂い付きの物質を放出する穴をその底部に有する、中空のケーシングの形状で作られる浮体式容器が既知である。そのような物質の位置付けは、物質で飽和した材料をケーシングの中空部に位置付けることによって達成される。物質の放出は、飽和した材料を外部からの影響下でプレートによって押圧するとともに、プレートを後方に回転させることによって確実となる。放出の調整は、ケーシングの外面にあるシャッタを用いて手動で行われる（１９８９年１月２４日に公開された（特許文献５）、Ａ０１Ｋ９３／００）。
【００１２】
この既知の容器の欠点は、容器を、水域環境のどんな深さでも使用することが不可能であること、物質放出機構が比較的複雑であること、及び、放出の手動の調整が必要であることにある。また、この既知の容器は、設計の特徴に起因して、疑似餌又はベイトとして使用することができず、これによって容器の使用が制限される。
【００１３】
また、互いに分割接続によって接続されて内部キャビティを形成する２つのパーツからなる、耐水性の主に高分子材料から作られるケーシングを含む、魚用の疑似餌又は食品を送達及び分配する容器が既知である。キャビティ内には、ケーシングの対向する表面に開口が位置付けられる中央チャネルがある。加えて、チャネルは、容器の内容物を水域環境内に徐々に放出させるようにケーシングの内部キャビティと連通する穴を有する（２００６年５月１６日に公開された（特許文献６）、Ａ０１Ｋ９７／０２）。
【００１４】
この既知の容器の欠点は、容器の内容物を、１つのチャネルを通して放出させることであり、この結果、チャネルが詰まり、放出の停止につながる可能性がある。また、前述した放出機構は、水域環境に送達することができる内容物のタイプを限定する。
【００１５】
また、魚、軟体動物等のようなベイトの形状で作られるケーシングを有する、水域環境において魚用の疑似餌を送達及び分配する容器が既知である（２００４年１月１３日に公開された（特許文献７）、Ａ０１Ｋ８５／０１、２００３年６月１０日に公開された（特許文献８）、Ａ０１Ｋ８５／００）。ベイトの形状のこれらの容器の設計は、魚が捉えるフック、匂い付きの疑似餌又は物質を位置付けるとともに放出させる内部キャビティ、及び道具締結機構の可用性を提供する。
【００１６】
そのような種類の容器の欠点は、容器が、大部分は使い捨てであり、容器が道具によって動かされるときに水の上昇（apprise）流の影響下でのみ疑似餌を放出することを確実にすることである。
【００１７】
また、容器であって、道具によって提供される動きで回転している間に、水流によって影響を受けると疑似餌又は他の物質を放出させる容器が既知である（２００９年４月２１日に公開された（特許文献９）、Ａ０１Ｋ８５／０１、Ａ０１Ｋ９７／０２、２００４年４月１５日に公開された（特許文献１０）、Ａ０１Ｋ９７／０２）。そのような容器は、疑似餌ケーシングのキャビティ内に位置付けられる外側面の縦及び横に分離された２つのパーツからなるケーシングを有する。ケーシングの面には、疑似餌を放出させる穴がある。水中で容器が動く間に水流の影響下でケーシングが回転することを確実にする機構が、ケーシングの両端又はその表面に位置付けられる。容器の動きは道具によって確実となり、道具には、容器の両端に位置付けられる機構が接続される。
【００１８】
記載した容器の欠点は、水域環境における動きの間にのみ疑似餌を放出する可能性であり、これは、容器の設計を複雑にすることも確実にする。さらに、容器は、給餌器又は疑似餌の一部としてしか使用することができず、これは、何らかの形で容器の使用を制限する。
【００１９】
また、共通の軸上で回転することができ、可能性としては容器を閉じる２つのパーツから作られるケーシングを含む容器が既知である。容器のキャビティは、内部に、容器のパーツが閉じると容器の表面にある穴を通して押し出される物質を有する特別なタブレットを配置することが意図される。容器は、容器用の対応する開口及び道具締結機構を有する、魚釣り方法に応じた特定の形状のプラスチックケーシングを用いて、水域環境内に入れられるように魚釣り機構（道具）に接続される（２００６年１月１２日に公開された（特許文献１１）、Ａ０１Ｋ８５／０１）。
【００２０】
この既知の容器の欠点はケーシングの設計であり、これは、中空部に配置される、分配される特別な形状の物質の使用、容器を必要な環境に入れるための付加的なプラスチックケーシングの使用の必要性、及び、内容物を水域環境に持続的に放出させる機構がないことにつながる。
【００２１】
プロトタイプとして、魚用の疑似餌を送達及び分配する容器は、疑似餌（物質）を配置するキャビティを有する２つの半球からなるケーシングを有するものであった。半球のうちの一方は、水域環境に送達される容器の道具締結機構を有し、他方の半球は、キャビティを疑似餌で充填するための穴を有し、穴の一部は、容器が水域環境に入る前にすぐに開放することを回避するためにゴムバンドによって閉じられ、充填穴よりも小さいサイズの、持続的な疑似餌放出のための貫通穴を含む（１９９５年６月４日に公開された（特許文献１２）、Ａ０１Ｋ９７／０２）。
【００２２】
このプロトタイプの欠点は、道具締結機構の設計によって生じるその使用の低い万能性の可能性、及びまた、ケーシングの半球の底部の特別な形状を有する１つのみの穴の存在によって生じる、内容物の持続的な疑似餌放出の比較的低い効率である。
【先行技術文献】
【特許文献】
【００２３】
【特許文献１】ウクライナ実用新案第３３９１６号
【特許文献２】ロシア特許第１２２２４７号
【特許文献３】ロシア実用新案証第３８５３６号
【特許文献４】特開２０００−２２４９４６号
【特許文献５】米国特許第４７９９３２８号
【特許文献６】米国特許第７０４３８７０号
【特許文献７】米国特許第６６７５５２５号
【特許文献８】米国特許出願公開第２００３／０１２６７８５号
【特許文献９】米国特許第７５２００８６号
【特許文献１０】米国特許出願公開第２００４／００６８９１６号
【特許文献１１】米国特許出願公開第２００６／０００５４５６号
【特許文献１２】米国特許第５４２８９２１号
【発明の概要】
【発明が解決しようとする課題】
【００２４】
本発明の基礎は、魚用の疑似餌若しくは食品若しくは医薬物質、又は、水域環境において溶解される物質を送達及び分配し、同時に、設計及び容器の内容物の材料を変えることによって上述した容器の内容物を水域環境内に持続的に放出させることを確実にするという課題であるものとした。本発明の更なる課題は、容器の万能性、及び、ケーシングに、ケーシングの境界を超えない締結機構を設けることによって使用の容易さを改善すること、並びに、上述した特徴を有する容器の製造可能性を高めることである。
【課題を解決するための手段】
【００２５】
この与えられた課題は、魚用の疑似餌若しくは食品若しくは医薬物質を送達及び分配するか、又は、水域環境において物質を溶解させる「Ｋａｒｐｅｌａ  ｃｏｎｔ」容器が、互いに分割接続によって接続されて内部キャビティを形成する少なくとも２つのパーツからなる、耐水性の主に高分子材料から作られるケーシングを含み；各パーツは、少なくとも２つの穴又は穴の群を有し、また本発明によると、穴はケーシングの対向する表面に位置付けられ、さらに、穴の総面積は、容器の表面の総面積の５％〜５０％を構成するように、達成される。
【００２６】
穴の総面積は主に、容器の表面の総面積の８％〜２０％を構成する。
【００２７】
ケーシングの材料は主として、水の密度との差が１０％を超えない密度を有する。
【００２８】
さらに、ケーシングの表面のパーツは球状にすることができる。
【００２９】
さらに、ケーシングのパーツは、ねじ接続によって互いに接続することができる。
【００３０】
さらに、穴又は穴の群は異なる形状にすることができる。
【００３１】
さらに、容器は道具締結機構を含むことができ、これは、ケーシングのパーツの表面に位置付けられる少なくとも２つの同軸の穴を表す。その上、同軸の締結穴は、群の穴の大部分よりも大きい直径にすることができる。
【００３２】
さらに、ケーシングのパーツは異なる色にすることができる。
【００３３】
全体的な主要な特徴と、達成すべき技術的な結果との間には、以下の因果関係がある。
【００３４】
容器の物質又は他の内容物を水域環境に送達し、その後、水域環境において内容物を持続的に放出させることを確実にする容器の設計の特性を求めるために、本発明者は幾つかの実験を行い、実験の間、容器を、ケーシングにおける穴の異なる位置、穴の異なる直径及びケーシングの異なる材料で試験した。
【００３５】
穴の総面積及び容器の総面積の最適な相関を求めることは、淡水（川）及び海水中で円形及び楕円形の穴を有する球状の容器に関して行った。そのために、一連の容器は、異なる直径（１０ｍｍ、１４ｍｍ及び２２ｍｍ）、並びに、穴の総面積及び容器の総表面積の異なる相関値（２％〜８０％）を有するものとした。前述した容器は、ケーシングのパーツの対向する表面に配置される穴を有するものとした。その状態で、容器の内容物を、水域環境へのその放出の速度に関して、そのような放出のおおよその時間の定着を伴うその完全な放出まで、定期的に調べた。内容物を完全に放出させるのに最適な時間は、約１〜２時間であった。この実験結果を表に表す。
【００３６】
このように、表のデータに従って、本発明者は、種々の密度の水における容器の内容物の持続的な放出を確実にするための、穴の総面積と容器の総表面積との最適な相関が、容器の総表面積の５％〜５０％であることを実験によって確立した。
【００３７】
したがって、ケーシングのパーツの対向する表面にある穴の位置、及び、５％〜５０％の穴の総面積と容器の総表面積との相関のような条件の関連性が、魚用の疑似餌若しくは食品若しくは医薬物質の送達及び分配、並びに、同時に、前述した容器の内容物の水域環境内への持続的な放出を確実にすることを可能にすることが確立された。
【００３８】
最適であるのは、穴の総面積と容器の総表面積との相関が８％〜２０％であることである。
【００３９】
また、水の密度との差が１０％を超えない密度を有するケーシングの材料の使用が、内容物を有する容器のゼロ浮力を確実にするために必要であることが実験によって確定された。
【００４０】
球状の形状にされるケーシングのパーツは、容器の使用の万能性を向上させ、その製造可能性を高め、また、容器のパーツのねじ接続を確実にするのに最適である。
【００４１】
容器のケーシングのパーツのねじ接続は、接続の確実性、容器を使用する間の接続の容易さ、及び、容器のパーツの互換性の観点から最適である。
【００４２】
ケーシングのパーツに異なる形状の穴を作ることは、容器のパーツの互換性を確実にすることによって容器の使用の万能性を高めることを可能にし、また、異なるサイズの内容物のタイプのための容器を使用する間の容器の多用途性を更に向上させ、容器を給餌器として使用することを可能にする。
【００４３】
ケーシングのパーツの表面に位置付けられる少なくとも２つの同軸の穴の形状の道具締結機構を作ることは、魚用の疑似餌又は食品及び医薬物質、並びに、水域環境において溶解される物質の送達及び分配の双方のための容器の使用の万能性を高めることを可能にし、また、容器を魚釣りに使用するときの、ケーシングを釣り糸又ははりすに締結する確実性を更に高める。
【００４４】
群の大部分よりも大きい直径の締結穴を作ることは、直径の異なる道具要素（釣り糸、はりす）への締結を確実にすること、及び、容器の使用の容易さを更に高める、穴のためのより正確な視覚的な差別化を確実にすることも可能にする。
【００４５】
ケーシングのパーツを異なる色にすることは、異なる色の容器のセットを作ることを可能にし、疑似餌又はベイトとしての容器の使用の魅力を更に高め、セットの一部としての容器の使用の万能性を向上させる。
【００４６】
本発明の本質を説明するために、以下では、図面とともに示される「Ｋａｒｐｅｌａ  ｃｏｎｔ」容器の特定の使用の例を提供する。本発明を説明する図面、及び装置の特定の形態を示す提示される例も、特許請求の範囲に示される記載の範囲を決して限定せず、本発明の本質のみを説明する。
【図面の簡単な説明】
【００４７】
【図１】突起を有する容器のケーシングのパーツの概略図である。
【図２】溝を有する容器のケーシングのパーツの概略図である。
【図３】容器アセンブリの概略図である。
【図４】同じ形状の穴を有する容器の上面図である。
【図５】異なる形状の穴を有する容器の概略図である。
【図６】魚釣りに使用される「Ｋａｒｐｅｌａ  ｃｏｎｔ」容器の例を示す図である。
【図７】魚釣りに使用される「Ｋａｒｐｅｌａ  ｃｏｎｔ」容器の例を示す図である。
【発明を実施するための形態】
【００４８】
「Ｋａｒｐｅｌａ  ｃｏｎｔ」容器は、２つの着脱可能な球状のパーツ１及びキャビティ２を有するケーシングを含む。一方の球状のパーツ１には円筒形の突起３があり、その外面には、他方の球状のパーツ１の円筒形の溝６の内面のねじ山５に対応するねじ山４が作られる。
【００４９】
各球状のパーツ１は、球状のパーツの表面へのコードとして対向する表面に位置付けられる穴７の群を有する。穴の総面積は、容器の総表面積の５％〜５０％を構成する。例えば、１０ｍｍ径の球状の容器の場合、穴の総面積は３０ｍｍ２であるものとすることができ、したがって、各球状のパーツ１には、１ｍｍ径の最高で１９個の穴を位置付けることができる。
【００５０】
さらに、球状のパーツ１は、穴７よりも大きい直径を有することができる、道具締結機構として使用される、ケーシングのパーツの表面に位置付けられる２つの同軸の穴８を含む。
【００５１】
図５には、異なる形状（円形及び楕円形）の穴を有する「Ｋａｒｐｅｌａ  ｃｏｎｔ」容器が示されている。
【００５２】
ケーシングの材料は主に耐水性であるものとすることができ、水の密度との差が１０％を超えない密度を有する。例えば、１０００ｋｇ／ｍ３の密度を有する淡水又は１０００ｋｇ／ｍ３超の密度（通常は１０３０ｋｇ／ｍ３）を有する海水では、（ＧＯＳＴ２６９９６−８６に従って）９００ｋｇ／ｍ３〜９１０ｋｇ／ｍ３の密度を有するポリプロピレンが容器の製造に主に使用される。
【００５３】
球状のパーツ１は、異なる色にされ、魚釣り中のベイト又は疑似餌としてのそれらの魅力を高めることができる。
【００５４】
また、ケーシング１のパーツは、球状の表面を有するパーツを除いて、対応する分割接続機構が設けられる異なる幾何学的形状の表面を有して作ることができ、異なる形状にされるパーツも有し、例えば、１つのパーツは円筒形であるものとすることができ、他のパーツは半楕円形状を有することができ、分割接続によって接続することができる。
【００５５】
「Ｋａｒｐｅｌａ  ｃｏｎｔ」容器は以下のように使用される：
最初に、球状のパーツ１又は双方のパーツを、魚用の疑似餌若しくは食品若しくは医薬物質、又は、水域環境において溶解される物質（例えば浴槽の塩）で充填する。その後、ねじ接続を使用して球状のパーツを接続する。
次に、魚釣りに使用される場合、ケーシングを、例えば穴８を通して釣り道具の糸又は金属はりすに締結する。特に、容器が疑似餌又はベイトとして使用される場合、容器を、魚釣り用のフック（図６）又はおびきの直後にはりすに締結する。容器は、給餌器として使用される場合は、魚釣り用のフック若しくはおびき（図７）の前に、又は、魚釣りのタイプに応じて別個の道具に締結される。
【００５６】
容器を水域環境に送達した後で、その内容物を、水域環境の動きの影響下で穴７を通して徐々に放出させ、これは、釣り道具自体、又は、水域環境の自然な流れ、又は、水域環境と容器の内容物との接触によって確実となる。
【００５７】
また、同様に異なる形状の穴７を有することができる例えば１０ｍｍ〜２２ｍｍの球状の形状の場合の異なるサイズの容器のセットを形成することが可能である。その上、容器の色付きのパーツを使用する場合、異なる色のパーツの接続を使用して、疑似餌又はベイトとしての容器の魅力を更に高めることが可能である。
【００５８】
また、セットの中の容器のサイズは、より大きい容器内にそれぞれのより小さい容器を配置することを確実にし、容器の輸送、保管及び使用の容易さを向上させるように選択することができる。
【００５９】
また、幾つかの容器を、釣り道具において及び異なる場所で連続して又は同時に並行して使用することが可能であり、これはまた、容器の使用の万能性を向上させる。
【００６０】
魚用の医薬物質又は水域環境において溶解される物質を送達及び分配する容器を使用する間、容器のパーツは上述したように充填及び接続され、容器は水族館又は浴槽内にそれぞれ配置され、そこで、容器は水域環境において大まかに浮遊し始め、容器のキャビティ内に入る水との接触に起因して内容物を放出させる。
【００６１】
このように、「Ｋａｒｐｅｌａ  ｃｏｎｔ」容器の設計及び他の特性に起因して、魚用の疑似餌若しくは食品若しくは医薬物質、又は、水域環境において溶解される物質の送達及び分配、並びに、水域環境における前述した容器の内容物の持続的な放出、容器の使用の万能性及び容易さが高まること、及び、上記特徴を有する容器の製造可能性を向上させることが確実となる。
【図１】
2016505261.tif 000003
【図２】
2016505261.tif 000004
【図３】
2016505261.tif 000005
【図４】
2016505261.tif 000006
【図５】
2016505261.tif 000007
【図６】
2016505261.tif 000008
【図７】
2016505261.tif 000009
【手続補正書】
【提出日】平成27年9月16日(2015.9.16)
【手続補正２】
【補正対象書類名】特許請求の範囲
【補正対象項目名】全文
【補正方法】変更
【補正の内容】
【特許請求の範囲】
【請求項１】
魚用の疑似餌若しくは食品若しくは医薬物質を送達及び分配するか、又は、水域環境において物質を溶解させる容器であって、互いに分割接続によって接続されて内部キャビティ（２）を形成する少なくとも２つのパーツ（１）からなる、耐水性の主に高分子材料から作られるケーシングを含み、各パーツ（１）は、少なくとも２つの穴（７）又は穴（７）の群を有し、
前記穴（７）は前記ケーシングの対向する表面に位置付けられ、穴（７）の総面積は、前記容器の表面の総面積の８％〜２０％を構成し、前記ケーシングの表面の少なくとも２つのパーツ（１）は球状にされ、前記容器は道具への締結機構を有し、これは、前記ケーシングのパーツ（１）の表面に位置付けられる少なくとも２つの同軸の穴（８）を表し、前記ケーシングの材料は、水の密度との差が１０％を超えない密度を有することを特徴とする、容器。
【請求項２】
前記ケーシングの前記パーツ（１）は、ねじ接続（４、５）によって互いに接続されることを特徴とする、請求項１に記載の容器。
【請求項３】
前記穴（７）又は穴（７）の群は異なる形状にされることを特徴とする、請求項１に記載の容器。
【請求項４】
前記ケーシングのパーツ（１）は異なる色にされることを特徴とする、請求項１に記載の容器。
【手続補正書】
【提出日】平成27年12月11日(2015.12.11)
【手続補正１】
【補正対象書類名】手続補正書
【補正対象項目名】手続補正１
【補正方法】削除
【補正の内容】
【国際調査報告】
2016505261.tif 000010
2016505261.tif 000011
2016505261.tif 000012